(57)【要約】送電網（２５０）内に、１つまたは複数の電子リレー（２）を設定するための方法（１００）であって、前記電子リレーは、前記送電網の対応するスイッチング装置（２０）に動作可能に関連付けられ、以下のステップ、-コンピュータディスプレイ（５２）上にグラフィックユーザインタフェース（１１０）を提供するステップであって、前記グラフィックユーザインタフェースは、ユーザによって起動可能なグラフィックリソース（１１、１２、１３、１４、１５）を含むこと、-設定グラフィックテンプレート（１０）を選択するために、前記グラフィックユーザインタフェース上に第１のグラフィックリソース（１１）を提供するステップであって、前記設定グラフィックテンプレート（１０）は、前記電子リレーを設定するための対応する制御ロジックモデル（１０Ａ）を表し、前記制御ロジックモデルは、対応する設定値（ＣＦ１、ＣＦ２）の組によって設定可能な１つまたは複数のロジック要素（１０Ｂ）を含むこと、- 選択された設定グラフィックテンプレート（１０）によって表される制御ロジックモデル（１０Ａ）の１つまたは複数の設定可能ロジック要素（１０Ｂ）を設定するための第２のグラフィックリソース（１２）を提供するステップ、- 前記グラフィックユーザインタフェース上に、１つまたは複数の設定されたロジック要素を、対応する電子リレー（２）に関連付けるための第３のグラフィックリソース（１３）を提供するステップ、- 前記電子リレーが、所定の動作状態を満たすかどうかをチェックするステップ、- 前記動作状態が前記電子リレーによって満たされる場合、前記設定値（ＣＦ１、ＣＦ２）を含む設定情報を、前記電子リレーに送信するステップ、を含むことを特徴とする電子リレーを設定するための方法。
2020504857.tif 000002
【特許請求の範囲】
【請求項１】
送電網（２５０）内に、１つまたは複数の電子リレー（２）を設定するための方法（１００）であって、
前記電子リレーは、前記送電網の対応するスイッチング装置（２０）に動作可能に関連付けられ、以下のステップ、
-コンピュータディスプレイ（５２）上にグラフィックユーザインタフェース（１１０）を提供するステップであって、前記グラフィックユーザインタフェースは、ユーザによって起動可能なグラフィックリソース（１１、１２、１３、１４、１５）を含むこと、
-設定グラフィックテンプレート（１０）を選択するために、前記グラフィックユーザインタフェース上に第１のグラフィックリソース（１１）を提供するステップであって、前記設定グラフィックテンプレート（１０）は、前記電子リレーを設定するための対応する制御ロジックモデル（１０Ａ）を表し、前記制御ロジックモデルは、対応する設定値（ＣＦ１、ＣＦ２）の組によって設定可能な１つまたは複数のロジック要素（１０Ｂ）を含むこと、
- 選択された設定グラフィックテンプレート（１０）によって表される制御ロジックモデル（１０Ａ）の１つまたは複数の設定可能ロジック要素（１０Ｂ）を設定するための第２のグラフィックリソース（１２）を提供するステップ、
- 前記グラフィックユーザインタフェース上に、１つまたは複数の設定されたロジック要素を、対応する電子リレー（２）に関連付けるための第３のグラフィックリソース（１３）を提供するステップ、
- 前記電子リレーが、所定の動作状態を満たすかどうかをチェックするステップ、
- 前記動作状態が前記電子リレーによって満たされる場合、前記設定値（ＣＦ１、ＣＦ２）を含む設定情報を、前記電子リレーに送信するステップ、
を含むことを特徴とする電子リレーを設定するための方法。
【請求項２】
前記第１のグラフィックリソースは、１つまたは複数の第１のグラフィックオブジェクト（１１）を含み、第１のグラフィックオブジェクトのそれぞれは、前記電子リレーを設定するために選択可能な設定グラフィックテンプレート（１０）に対応することを特徴とする請求項１に記載の方法。
【請求項３】
前記第２のグラフィックリソース（１２）は、
-前記設定可能ロジック要素を設定するための第１の設定値を提供する際にユーザを支援するための１または複数の第２のグラフィックオブジェクト（１２Ａ、１２Ｂ、１２Ｃ）であって、前記第１の設定値は、前記電子リレー（２）によって使用されるグローバル動作パラメータに関連するものと、
-前記設定可能ロジック要素を設定するための個々の第２の設定値を提供する際にユーザを支援するための１または複数の第３のグラフィックオブジェクト（１２Ｄ、１２Ｅ、１２Ｆ）であって、前記第２の設定値は、前記電子リレー（２）によって使用される個々の動作パラメータに関連するもの
を含むことを特徴とする前記請求項１または２に記載の方法。
【請求項４】
前記第３のグラフィックリソース（１３）は、各設定されたロジック要素を、対応する電子リレー（２）に関連付ける際に、ユーザを支援するための１つまたは複数の第４のグラフィックオブジェクト（１３Ａ、１３Ｂ）を含むことを特徴とする前記請求項１から３のいずれかに記載の方法。
【請求項５】
前記電子リレー（２）が所定の動作条件を満たすかどうかをチェックする前記ステップが、前記電子リレーによって満たされる動作条件に関連する情報をユーザが取得することを支援するために、前記グラフィックユーザインターフェース上に、第４のグラフィックリソース（１４）を提供するステップを含むことを特徴とする前記請求項１から４のいずれかに記載の方法。
【請求項６】
前記電子リレー（２）が所定の動作条件を満たすかどうかをチェックする前記ステップが、前記電子リレーの動作条件に関連する情報を提供する際に、ユーザを支援するために、前記グラフィックユーザインターフェース上に、第５のグラフィックリソース（１５）を提供するステップを含むことを特徴とする前記請求項１から５のいずれかに記載の方法。
【請求項７】
前記設定情報は、インターネットまたはＬＡＮまたはＷＡＮを介して、前記電子リレー（２）に送信されることを特徴とする前記請求項１から６のいずれかに記載の方法。
【請求項８】
前記設定情報を前記電子リレー（２）に送信する前記ステップが、
- 前記電子リレーへの前記設定情報の送信を可能にするための符号化情報を受信するステップと、
- 前記符号化情報をチェックするステップと、
- 前記符号化情報が正しい場合、前記設定情報を前記電子リレーに送信するステップ
を含むことを特徴とする、前記請求項１から７のいずれかに記載の方法。
【請求項９】
記憶媒体に記憶されるか、あるいは記憶媒体に記憶可能なコンピュータプログラムであって、
ソフトウェア命令がコンピュータ装置（５０）によって実行されるとき、
前記請求項１から８のいずれかに記載の方法（１）を実施するように構成された前記ソフトウェア命令を含むコンピュータプログラム。
【請求項１０】
請求項１から８までのいずれかに記載の方法（１）を実施するためのソフトウェア命令を実行するように構成されていることを特徴とするコンピュータ装置（５０）。
【請求項１１】
１つまたは複数の付属装置（１）を介して、前記電子リレー（２）と通信するように構成され、
各付属装置は、対応する電子リレーに含まれるか、または、対応する電子リレーと動作可能に結合され、前記対応する電子リレーのために、インターネットまたはＬＡＮまたはＷＡＮのゲートウェイとして動作するように構成されていることを特徴とする請求項１０に記載のコンピュータ装置（５０）。
【発明の詳細な説明】
【技術分野】
【０００１】
この発明は、送電網（electric power distribution grids）の分野に関する。
【０００２】
より詳細には、この発明は、低電圧レベルまたは中電圧レベルで動作する送電網の電子リレーを設定するためのコンピュータ実装方法に関する。
【背景技術】
【０００３】
本出願の目的のために、用語「低電圧」（ＬＶ）は、1kV ACおよび1.5kV DCより低い動作電圧に関連し、一方、「中電圧」は、数十ｋＶまでの動作電圧、たとえば、72kV ACおよび100kV DCまでの動作電圧に関連する。
【０００４】
送電網は、１つの送電網の特定の部分を適切に動作させるように設計されたスイッチング装置（例えば、回路遮断器、断路器、接触器など）を備える。
【０００５】
典型的には、上述のスイッチング装置は、例えば、故障または過負荷の場合に、送電網の動作状態によって必要とされる場合に、適切なセンサによって開閉装置（switchgear）の動作状態をチェックし、適切なコマンドを生成して関連するスイッチング装置の介入を促すように適合されている電子的な保護および制御装置（ここでは、「電子リレー」と呼ばれる）に動作可能に関連付けられている。
【０００６】
知られているように、電子リレーの動作は、一組の動作パラメータ(例えば、保護しきい値、通信パラメータ、グリッドパラメータなど)に依存しており、動作パラメータは、電子リレーの機能を利用するために、リレーによって記憶され、かつ適切に処理される。
【０００７】
そのような動作パラメータは、リレーの動作寿命の間に、たとえば、この動作パラメータが、現場でインストールされたとき、またはメンテナンス介入中に、適切にセットアップ（または、広く使用されている用語に従えば、「設定」"configured"）される必要がある。
【０００８】
送電網内の電子リレーの動作パラメータを設定するための従来の解決策は、通常、リレーの入力および出力を取得するための時間のかかるケーブル配線活動と、リレーの機能をモデル化およびセットアップするための集中的なプログラミング活動を必要とする。
【０００９】
これらすべての活動は、通常、専門的な人員の介入を必要とし、全体的なコストの著しい増加を伴う。
【発明の概要】
【発明が解決しようとする課題】
【００１０】
さらに、一般に、これらの動作を開始する前に、リレーの設定が正しく実行されたか否かについての予防情報を得ることはできない。
本発明の主な目標（aim）は、上述の技術的な問題を解決または緩和することが可能な送電網の電子リレーの動作パラメータをセットアップする方法を提供することである。
【００１１】
この目標（aim）の範囲内で、本発明の目的は、電子リレーの迅速かつ効率的な設定を実行する方法を提供することである。
【００１２】
本発明の他の目的は、専門でないオペレータによっても容易に実行することができる方法を提供することである。
【００１３】
本発明の更なる目的は、高価な処理リソースを採用することなく、容易にコンピュータに実装することができる方法を提供することである。
【００１４】
これらの目標（aim）および目的は、以下の請求項１と、関連する従属請求項に従って、送電網内の電子リレーの動作パラメータをセットアップする方法によって達成される。
【００１５】
一般的定義において、本発明による方法は、以下のステップを含む。
- ユーザによって起動可能なグラフィックリソースを含むグラフィックユーザインタフェースをコンピュータディスプレイ上に提供するステップと、
-設定グラフィックテンプレートを選択するために、グラフィックユーザインターフェース上に第１のグラフィックリソースを提供し、前記設定グラフィックテンプレートは、前記電子リレーを設定するための対応する制御ロジックモデルを表し、前記制御ロジックモデルは、対応する設定値のセットによって設定可能な１つまたは複数のロジック要素を含むステップと；
-選択された設定グラフィックテンプレートによって表される制御ロジックモデルの１つまたは複数の設定可能なロジック要素を設定するための第２のグラフィックリソースを提供するステップと；
-１つまたは複数の設定されたロジック要素を、対応する電子リレーに関連付けるための第３のグラフィックリソースを前記グラフィックユーザインタフェース上に提供するステップと；
- 前記電子リレーが所定の動作条件を満たしているか否かをチェックするステップと；
-前記動作条件が前記電子リレーによって満たされる場合、前記設定値を含む設定情報を前記電子リレーに送信するステップ。
【００１６】
好ましくは、前記第１のグラフィックリソースは、１つまたは複数の第１のグラフィックオブジェクトを含み、各第１のグラフィックオブジェクトは、前記電子リレーを設定するために選択可能な設定グラフィックテンプレートに対応する。
【００１７】
好ましくは、前記第２グラフィックリソースは、前記設定可能なロジック要素を設定するための第１の設定値を提供する際にユーザを支援するための１つまたは複数の第２のグラフィックオブジェクトを含み、前記第１の設定値は、前記電子リレーによって使用されるグローバル動作パラメータに関連する。
【００１８】
好ましくは、前記第２のグラフィックリソースは、前記設定ロジック要素を設定するための個々の第２の設定値を提供する際にユーザを支援するための１つまたは複数の第３のグラフィックオブジェクトを含み、前記第２の設定値は、前記電子リレーによって使用される個々の動作パラメータに関連する。
【００１９】
好ましくは、前記第３のグラフィックリソースは、設定された各ロジック要素を対応する電子リレーに関連付ける際に、ユーザを支援するための１つまたは複数の第４のグラフィックオブジェクトを含む。
【００２０】
好ましくは、前記電子リレーが所定の動作条件を満たすかどうかをチェックする前記ステップは、前記電子リレーによって満たされる動作条件に関連する情報を取得する際にユーザを支援するために、前記グラフィックユーザインターフェース上に第４のグラフィックリソースを提供するステップを含む。
【００２１】
好ましくは、前記電子リレーが所定の動作条件を満たすかどうかをチェックする前記ステップは、前記電子リレーの動作条件に関連する情報を提供する際にユーザを支援するために、前記グラフィックユーザインターフェース上に第５のグラフィックリソースを提供するステップを含む。
【００２２】
好ましくは、前記設定情報を前記電子リレーに送信する前記ステップは、前記設定値を前記電子リレーに送信することを可能にするために符号化情報を受信するステップと、前記符号化情報をチェックするステップと、前記符号化情報が正しい場合に、前記設定情報を前記電子リレーに送信するステップとを含む。
【００２３】
さらに別の態様において、本発明は、以下の請求項９に記載のコンピュータプログラムに関する。
【００２４】
さらに別の態様において、本発明は、以下の請求項１０に記載のコンピュータ装置に関する。
【００２５】
好ましくは、前記コンピュータ装置は、１つまたは複数の付属装置を介して前記電子リレーと通信するように構成される。
各付属装置は、対応する電子リレーに含まれるかまたはそれと動作可能に結合され、前記対応する電子リレーのために、インターネットまたはＬＡＮまたはＷＡＮのゲートウェイとして動作するように構成される。
【図面の簡単な説明】
【００２６】
本発明の特徴および利点は、添付の図面に非限定的な実施例が示されており、排他的ではない好ましい実施例の説明から、より明らかになるであろう。
図１〜３は、本発明の一態様による設定方法を実装するコンピュータ装置を示す概略図である。
図４は、インターネットまたはＬＡＮまたはＷＡＮのゲートウェイとして動作する付属装置を備えた電子リレーと動作可能に関連付けられたスイッチング装置を概略的に示す図である。
図５〜１１は、本発明による方法のステップを示す概略図である。すなわち、
【図１】図１は、本発明の一態様による設定方法を実装するコンピュータ装置を示す概略図である。
【図２】図２は、本発明の一態様による設定方法を実装するコンピュータ装置を示す概略図である。
【図３】図３は、本発明の一態様による設定方法を実装するコンピュータ装置を示す概略図である。
【図４】図４は、インターネットまたはＬＡＮまたはＷＡＮのゲートウェイとして動作する付属装置を備えた電子リレーと動作可能に関連付けられたスイッチング装置を概略的に示す図である。
【図５】図５は、本発明による方法のステップを示す概略図である。
【図６】図６は、本発明による方法のステップを示す概略図である。
【図７】図７は、本発明による方法のステップを示す概略図である。
【図８】図８は、本発明による方法のステップを示す概略図である。
【図９】図９は、本発明による方法のステップを示す概略図である。
【図１０】図１０は、本発明による方法のステップを示す概略図である。
【図１１】図１１は、本発明による方法のステップを示す概略図である。
【発明を実施するための形態】
【００２７】
上述の図を参照すれば、本発明は、好ましくは低電圧レベルで動作する送電網２５０内の１つまたは複数の電子リレー２を設定するための方法１００に関する。
【００２８】
都合良く、電子リレー２は、送電網２５０の対応するスイッチング装置２０（例えば、回路遮断器、断路器、接触器など）と動作可能に関連付けられ、これらの送電網２５０の動作を制御する。
【００２９】
図２において、本発明のいくつかの実施形態による電子リレー2が概略的に示されている。
【００３０】
好ましくは、電子リレー2は、送電網２５０の動作条件に関するデータを取得するように構成された制御ユニット２１を備え、前記動作条件をチェックして、異常な状態、例えば、故障または過負荷の場合に、関連するスイッチング装置２０の介入を促すために適切なコマンドを提供する。
【００３１】
電子リレー２は、種々のタイプの通信バス２５、２６、２７を備えるか、またはそれらと動作可能に結合してもよい。
【００３２】
一例として、電子リレー２は、制御ユニット２１と、電子保護リレー２の他の付属装置１、２２、２３、２４との間に、通信チャネルを提供するように、都合よく設計されたローカルバス２５を備えてもよい。
ローカルバス２５は、「マルチマスタ」タイプの通信方式を用いて、イーサネットのようなフィールドバス（FIELDBUS）タイプの通信プロトコルを実装することができる。
【００３３】
さらに別の例として、電子リレー2は、送電網250のシステムバス27を介して、さらに幾つかの電子保護装置２Ａと通信してもよい。
システムバス27は、制御ユニット21と、リレー2に対して遠隔位置に存在してもよいさらなる電子装置２Ａ(例えば、さらなる電子リレー)との間に、通信チャネルを提供するように、都合良く設計されてもよい。
システムバス27は、「マスタ−スレーブ」タイプの通信方式を用いて、MODBUS、PROFIBUS、PROFIBINET、あるいは、MODBUS TCPタイプの通信プロトコルを実装してもよい。
【００３４】
さらに別の例として、電子リレー2は、リレーそのものを含む開閉装置の配電盤バス（switchboard bus）２６を介して、更なる電子装置２Ｂと通信することができる。
配電盤バス２６は、保護および制御ユニット２１と、前記開閉装置のさらなる電子装置２Ｂ（たとえばさらなる電子リレー）との間に、専用の通信チャネルを提供するように都合よく設計されている。
配電盤バス２６は、「マルチマスタ」タイプの通信方式を使用して、フィールドバスタイプの通信プロトコルを実装してもよい。
【００３５】
電子リレー２は、（付属装置１のように）制御ユニット２１の機能を強化／拡張するように設計された付属装置、（付属装置２２、２４のように）外部通信バスへのインターフェースを提供するように設計された付属装置、保護および制御ユニット２１のための（付属装置２３のように）補助インターフェース（ディスプレイまたはＬＥＤインターフェースなど）を提供するように設計された付属装置など、様々なタイプの付属装置を備えるか、またはそれと動作可能に結合されてもよい。
【００３６】
好ましくは、各電子リレー２は、インターネットまたはＬＡＮまたはＷＡＮの通信機能を、電子リレーに提供するように構成された付属装置１と動作可能に結合されるか、またはそれを備える。
【００３７】
好ましくは、付属装置１（付属装置２２、２３、２４のように）は、図４に示すように、対応する電子保護リレー２と共に、スイッチング装置２０に、取り外し可能に取り付けられるように構成されている。
【００３８】
しかしながら、他の解決策によれば、付属装置１は、電子保護リレー２が自立型ユニットである場合、対応する電子保護リレー２の外部ケースに取り外し可能に取り付けられてもよく、または対応する電子リレー内に組み込まれた内部電子モジュールでもよい。
【００３９】
図３には、本発明のいくつかの実施形態による付属装置１が、概略的に示されている。
【００４０】
好ましくは、付属装置１は、少なくとも、対応する電子リレー２に含まれるか、または対応する電子リレー２と動作可能に接続された電子装置（例えば制御ユニット２１）との通信に適した第１の通信ポート１Ａを備える。
【００４１】
一例として、通信ポート１Ａは、対応する電子リレー２のローカルバス２５と動作可能に結合するのに適したイーサネットポートであってもよい。
【００４２】
好ましくは、付属装置１は、少なくとも、インターネットまたはＬＡＮまたはＷＡＮを介して、１つまたは複数の遠隔コンピュータ装置５０と通信するのに適した第２の通信ポート１Ｂを備える。
【００４３】
一例として、通信ポート１Ｂは、インターネットプロトコル一式（suite）に適したＴＣＰまたはＵＤＰポートであってもよい。
【００４４】
情報は、（例えば、イーサネットタイプの）適切な通信ケーブル、または（例えば、Wi-FiまたはBluetoothタイプの）適切なアンテナ配置を用いて、インターネットまたはＬＡＮまたはＷＡＮの回線を介して送信してもよい。
【００４５】
好ましくは、付属装置１は、その動作を管理するように構成された対応する処理ユニット１Ｃを備える。
【００４６】
付属装置１は、専用の通信バス（例えばシステムバス２７など）を使用または配置する必要なしに、対応する電子リレー２に、インターネットまたはＬＡＮまたはＷＡＮへの直接接続を提供することができることに注目することが重要である。
【００４７】
言い換えれば、付属装置１は、リレー２（特にその保護および制御ユニット２１）が遠隔のコンピュータ装置５０と直接通信することができるインターネットまたはＬＡＮまたはＷＡＮのゲートウェイとして動作するように構成されている。
【００４８】
上述のように、本発明による方法１００は、送電網２５０の電子リレー２を設定するための方法である。
【００４９】
当業者に知られているように、電子リレーを「設定する（configuring）」ことは、その機能を利用するために、前記電子リレーによって使用される一組の動作パラメータ（例えば、保護しきい値、通信パラメータ、グリッドパラメータなど）を設定することからなる。
【００５０】
前記動作パラメータは、送電網の一般的な動作（グローバル動作パラメータ）、または電子リレーの特定の動作（個々の動作パラメータ）に関連し得る。
【００５１】
一般的に、電子リレーの動作パラメータは、電子リレー自体によって格納および処理され得る適切な数値または論理値（設定値）を電子リレーに提供することによってセットアップしてもよい。
【００５２】
以下から明らかになるように、本発明による方法１００は、コンピュータ装置５０によって実現されるのに特に適しており、明確にするために、特にこの種の実装に関して以下に説明する。
【００５３】
一般的に、コンピュータ装置５０は、デスクトップコンピュータ、ラップトップコンピュータ、タブレット、スマートフォンなどの任意の既知のタイプであってもよい。
【００５４】
本発明によれば、コンピュータ装置５０は、方法１００を実施するためのソフトウェア命令５１０を実行することができる（例えば、１つまたは複数のマイクロプロセッサを含む）処理ユニット５１を備える。
【００５５】
コンピュータ装置５０は、ソフトウェア命令５１０が永久的に保存される記憶メモリを備えている。
【００５６】
代替として、コンピュータ装置５０は、ソフトウェア命令５１０が処理ユニット５１による実行のためにアップロードされ得る他のメモリサポートと、動作可能に関連付けられてもよい。
【００５７】
コンピュータ装置５０は、処理ユニット５１によって駆動されるディスプレイ５２を備えるか、またはディスプレイに動作可能に関連付けられる。
【００５８】
好都合には、コンピュータ装置５０は、インターネットまたはＬＡＮまたはＷＡＮの通信機能を有する。
この目的のために、インターネットまたはLANまたはWANを介して遠隔電子装置と通信するために、処理ユニット５１によって駆動される１つまたは複数の通信ポート５４（例えば、イーサネットポートまたはブルートゥースポートまたはWi-Fiポート)が装備される。
【００５９】
好ましくは、コンピュータ装置５０は、これらの付属装置のうちの付属装置１によって、インターネットまたはＬＡＮまたはＷＡＮを介して電子リレー２と通信することができ、各付属装置は、前述のように、インターネットまたはLANまたはWANゲートウェイとして動作するように構成されている。
【００６０】
本発明によれば、方法１００は、コンピュータ装置５０がコンピュータディスプレイ５２上にグラフィックユーザインタフェース１９０を提供するステップを含む（図５）。
【００６１】
グラフィックユーザインタフェース１９０は、コンピュータ装置５０によって、ユーザが電子リレー２を設定するのを支援するための視覚グラフィックリソース１１、１２、１３、１４、１５（例えば、グラフィックアイコン、グラフィックウィンドウ、グラフィックカーソル、視覚インジケータ、視覚メニューなど）を含む視覚グラフィック環境である。
【００６２】
一般的に、グラフィックリソース１１、１２、１３、１４、１５は、対応する動作を実行するための特定のコマンド、またはリレーを設定するための情報（例えば設定値ＣＦ１、ＣＦ２）を、コンピュータ装置５０に入力するユーザを支援するために、利用できるようになっている。
【００６３】
好都合なことに、グラフィックリソース１１、１２、１３、１４、１５は、（例えば、ディスプレイ５２がコンピュータモニタまたはラップトップディスプレイであるとき）マウスポインタを介して前記グラフィックリソースをクリックすることによって、または、（例えば、ディスプレイ５２がタッチスクリーンディスプレイであるとき）ディスプレイ５２の対応する対話型領域に接触することによって、コンピュータ装置で通常採用されている既知の起動モードに従って、起動可能である。 
【００６４】
情報は、専用のグラフィックオブジェクト（グラフィックカーソル、グラフィックアイコンなど）を入力またはアクティブにすることによって、コンピュータ装置で通常採用されている既知の入力モードに従って、ユーザによって入力することができる。
【００６５】
好ましくは、グラフィックユーザインタフェース１９０は、１つまたは複数の設定ページを含み、その中で、グラフィックリソース１１、１２、１３、１４、１５が利用可能にされる。
【００６６】
好ましくは、グラフィックユーザインターフェース１９０は、ユーザが、異なる設定ページをナビゲートすること、またはストレージメモリ５３に設定ページを保存したりストレージメモリ５３から設定ページをアップロードしたりすることを可能にするために、各設定ページ上に、補助グラフィックリソース１７（例えばグラフィックボタン）を含む。
【００６７】
本発明によれば、方法１００は、電子リレー２を設定するための設定グラフィックテンプレート１０を選択するために、コンピュータ装置５０が、グラフィックユーザインターフェース１９０上（好ましくは、専用の設定ページ上）に、第１のグラフィックリソース１１を提供するステップを含む（図6、7）。
【００６８】
設定グラフィックテンプレート１０は、電子リレー２を設定するための対応する制御ロジックモデル１０Ａを、グラフィカルに表わしている。
【００６９】
制御ロジックモデル１０Ａは、送電網２５０によって、より詳細には、リレー２によって実装される可能なレイアウトおよび動作モードを記述している。
【００７０】
制御ロジックモデル１０Ａは、１つまたは複数のロジック要素１０Ｂを含み、各論理要素１０Ｂは、適切な設定値によって設定可能である対応する一組の動作パラメータを参照する。
【００７１】
設定可能なロジック要素１０Ｂは、前記設定値によって設定されなければならない同じ一組の動作パラメータを有する電子リレーを、都合よく示している。
【００７２】
もちろん、ロジック要素１０Ｂの設定値は、その機能性を利用するために、上記のグローバル動作パラメータと、前記リレーによって使用される個々の動作パラメータに関係してもよい。
【００７３】
ユーザは、１つまたは複数の予め定義された設定グラフィックテンプレート１０の中から、所定の設定グラフィックテンプレート１０を選択することができる。
【００７４】
グラフィックリソース１１を起動することによって、選択コマンドがコンピュータ装置５０に送信され、多数の利用可能なものの中から、所望の設定グラフィックテンプレート１０が取り出される。
【００７５】
好都合には、設定グラフィックテンプレート１０は、電子リレー２の設定プロセスを実行する前に、（例えば、電子リレー２の供給者（provider）によって）、設計され、検証される。
【００７６】
このようにして、多数の検証された制御ロジックモデル１０Ａをユーザに利用可能にすることができ、ユーザは、例えば複雑なプログラミング言語（例えば、PLCのプログラミング言語）を使用して、送電網250の動作をモデル化する必要なしに、電子リレー2を設定するために、最も適切なものを選択することができる。
【００７７】
このようにして、送電網２５０および、より詳細には電子リレー２の動作をモデル化する際のエラーが回避され、リレー２の設定プロセスは、この点に関して、限定的な専門知識を有するユーザによっても実行することが可能となる。
【００７８】
好都合には、検証された設定グラフィックテンプレート１０は、記憶メモリ５３または同等のメモリサポートに恒久的に格納することができるライブラリに収集することができ、または、（たとえばインターネットまたはＬＡＮまたはＷＡＮを介して）コンピュータ５０と通信中の別のコンピュータリソース（図示せず）からダウンロードすることができる。
【００７９】
好ましくは、第１のグラフィックリソース１１は、１つまたは複数のグラフィックオブジェクト（例えばグラフィックアイコン）を含み、それぞれのグラフィックオブジェクトが、電子リレー２を設定するために選択可能な所定の設定グラフィックテンプレート１０に対応する。
【００８０】
各グラフィックオブジェクト１１は、対応する設定グラフィックテンプレート１０を取り出すためにユーザによって起動されることができる。このようにして、ユーザは、支援された方法で、所望の設定グラフィックテンプレート１０を選択することができる。
【００８１】
本発明によれば、方法１００は、ユーザによるグラフィックリソース１１の起動に応答して、コンピュータ装置５０が、グラフィックユーザインタフェース１９０上に（好ましくはこの１つまたは複数の専用設定ページ上に）、選択された設定グラフィックテンプレート１０を提供するステップを含む(図8-11)。
【００８２】
本発明によれば、方法１００は、コンピュータ装置５０が、選択された設定グラフィックテンプレート１０に動作可能に関連付けられている第２のグラフィックリソース１２を、グラフィックユーザインタフェース１９０上に提供するステップを含む（図８−９）。
【００８３】
一般的に、第２のグラフィックリソース１２は、ユーザが設定可能ロジック要素１０Ｂを設定するのを支援することを目的としている。
【００８４】
言い換えれば、第２のグラフィックリソース１２のおかげで、ユーザは、設定可能ロジック要素１０Ｂを設定するための設定値を提供することができる。
【００８５】
好ましくは、第２のグラフィックリソース１２は、選択された設定グラフィックテンプレート１０によって表される制御ロジックモデル１０Ａの設定可能ロジック要素１０Ｂに動作可能に関連付けられる。
【００８６】
好ましくは、第２のグラフィックリソース１２および選択された設定グラフィックテンプレート１０は、それらが機能的に関連付けられ、グラフィックユーザインターフェース１９０の専用設定ページ上で利用可能にされる。
【００８７】
好ましくは、第２グラフィックリソース１２は、選択された設定グラフィックテンプレート１０によって表される制御ロジックモデル１０Ａの設定可能ロジック要素１０Ｂを設定するための第１設定値ＣＦ１を提供する際にユーザを支援するために、１つまたは複数の第２グラフィックオブジェクト１２Ａ、１２Ｂ、１２Ｃを含む。
【００８８】
好都合には、第１の設定値ＣＦ１は、電子リレー２によって使用されるグローバル動作パラメータに関係する設定値である。
より詳細には、それらは、電子リレー２によって使用されるグローバル動作パラメータに対応するロジック要素１０Ｂの設定パラメータを設定することを目的としている。
【００８９】
図８に示す例によれば、前記第２のグラフィックオブジェクトは、ユーザによって起動され得る１つまたは複数のグラフィックアイコン１２Ａ（対応する制御ロジック要素に動作可能に関連付けられる）を含んでもよい。
【００９０】
前記第２のグラフィックオブジェクトは、グラフィックアイコン１２Ａの起動に応答して、コンピュータ装置５０によって提供される１つまたは複数のグラフィックウィンドウ１２Ｂをさらに含んでもよい。
【００９１】
好都合には、グラフィックウィンドウ１２Ｂは、ユーザが、支援された方法で、第１の設定値をセットアップすることを可能にするために、さらなるアイコンおよびカーソル１２Ｃを含む。
【００９２】
好ましくは、第２グラフィックオブジェクト１２Ａ、１２Ｂ、１２Ｃおよびそれらが動作可能に関連付けられている選択された設定グラフィックテンプレート１０は、グラフィックユーザインタフェース１９０の専用設定ページ上で、利用可能にされる。
【００９３】
第１の設定値の入力が完了すると、ユーザは、適切な補助グラフィックリソース１７（例えば保存ボタン）を起動することによって、前記設定ページおよび関連する設定情報を、記憶メモリ５３に保存することができる。
【００９４】
好ましくは、第２のグラフィックリソース１２は、以前に選択された設定グラフィックテンプレートによって表される制御ロジックモデル１０Ａの設定可能ロジック要素１０Ｂを設定するための第２の設定値ＣＦ２を提供する際にユーザを支援するために、１つまたは複数の第３のグラフィックオブジェクト１２Ｄ、１２Ｅ、１２Ｆを含む（図9）。
【００９５】
好都合には、第２設定値ＣＦ２は、電子リレー２によって使用される個々の動作パラメータに関係する設定値である。より詳細には、それらは、電子リレー２によって使用される個々の動作パラメータに対応するロジック要素１０Ｂの設定パラメータをセットアップすることを目的としている。
【００９６】
図９に示す例によれば、上述した第３のグラフィックオブジェクトは、有利には、ユーザによって起動されることができる１つまたは複数のグラフィックアイコン１２Ｄ（対応する制御ロジック要素に動作可能に関連付けられている）を、備えてもよい。
【００９７】
前記第３のグラフィックオブジェクトは、グラフィックアイコン１２Ｄの起動に応答して、コンピュータ装置５０によって表示される１つまたは複数のグラフィックウィンドウ１２Ｅをさらに含んでもよい。
【００９８】
好都合には、ウィンドウ１２Ｅは、ユーザが、支援された方法で、第２の設定値をセットアップすることを可能にするために、さらに起動可能なアイコンまたはカーソル１２Ｆを備える。
【００９９】
好ましくは、第３のグラフィックオブジェクト１２Ｄ、１２Ｅ、１２Ｆおよびそれらが動作可能に関連付けられている選択された設定グラフィックテンプレート１０は、グラフィックユーザインタフェース１９０の専用設定ページ上で、利用可能にされる。
【０１００】
第２の設定値の入力が完了すると、ユーザは、適切な補助グラフィックリソース１７（例えば保存ボタン）を起動することによって、前記設定ページおよび関連する設定情報を、記憶メモリ５３に保存することができる。
【０１０１】
方法１００のこのステップでは、１つまたは複数の組の設定値CF1、CF2は、選択された設定グラフィックテンプレート１０によって表される制御ロジックモデル１０Ａの対応する設定可能ロジック要素１０Ｂに関連付けられる。
【０１０２】
上述した設定ステップは、リレー２に介入することなく、制御ロジックモデル１０Ａ上で実行されているので、各組の設定値ＣＦ１、ＣＦ２は、物理的リレー２にまだ関連付けられていないことに留意することが重要である。
【０１０３】
本発明によれば、方法１００は、選択された設定成グラフィックテンプレート１０に動作可能に関連付けられている第３のグラフィックリソース１３を、グラフィックユーザインターフェース１９０上に提供するステップを含む（図１０）。
【０１０４】
一般的に、第３のグラフィックリソース１３は、選択された設定グラフィックテンプレート１０によって表される制御ロジックモデル１０Ａの設定されたロジック要素１０Ｂの各々を、対応する物理的リレー２に関連付ける際にユーザを支援することを目的としている。
【０１０５】
言い換えれば、第３のグラフィックリソース１３のおかげで、ユーザは、（制御ロジックモデル１０Ａの設定可能ロジック要素１０Ｂを設定するために使用される）設定値ＣＦ１、ＣＦ２の各組を、対応するリレー２と関連付けることができる。
【０１０６】
好ましくは、第３のグラフィックリソース１３と選択された設定グラフィックテンプレート１０は、それらが動作可能に関連付けられ、グラフィックユーザインターフェース１９０の専用設定ページ上で、利用可能にされる。
【０１０７】
好ましくは、グラフィックリソース１３は、各設定可能ロジック要素１０Ｂを、対応するリレー２と関連付ける際に、ユーザを支援するための１つまたは複数の第４のグラフィックオブジェクト１３Ａ、１３Ｂを含む。
【０１０８】
図１０に示す例によれば、前記第４のグラフィックオブジェクトは１つまたは複数のグラフィックアイコン１３Ａ（それぞれは対応する制御ロジック要素１０Ｂに動作可能に関連付けられている）を含むことができ、前記グラフィックアイコンは、上述した起動モードの１つに従ってユーザによって起動されることができる。
【０１０９】
前記第４のグラフィックオブジェクトは、グラフィックラベル１４Ｃの対応するリストを含む１つまたは複数のグラフィックウィンドウ１３Ｂをさらに含んでもよく、各リストは対応する電子リレー２の識別情報を報告する。
【０１１０】
好ましくは、電子リレー２の識別情報は、上述した設定プロセスを実行する前に、記憶メモリ５３（または他の同等の記憶サポート）に記憶される。
【０１１１】
電子リレー２の識別情報は、（例えば、グラフィックユーザインターフェース１９０の図示されていない専用入力ページ上で）ユーザ２によって直接提供されてもよく、または、電子リレーとインターネットまたはLANまたはWANとの接続を確立することによって、電子リレー２から、コンピュータ装置５０によって自動的にダウンロードされてもよい。
【０１１２】
各設定された制御ロジック要素１０Ｂと、対応する電子リレー２との間の関連付けは、対応するグラフィックアイコン１３Ａおよび対応するグラフィックラベル１３Ｂを、選択的に、単に起動することによって、支援された方法でユーザによって実行されることができる。
【０１１３】
グラフィックリソース１３Ａ、１３Ｂのおかげで、ユーザは、設定された各制御ロジック要素１０Ｂを、対応する物理的電子リレー２にどのように関連付けるかについてのリンク情報を、コンピュータ装置５０に提供できることが、上記から明らかである。
【０１１４】
このようにして、前記リンク情報は、制御ロジック要素１０Ｂに関連する設定値ＣＦ１、ＣＦ２の各組を、対応する電子リレー２に関連付けることを可能にする。
【０１１５】
好ましくは、そのようなリンク情報は、記憶メモリ５３（または他の同等の記憶サポート）に記憶され、コンピュータ装置５０によって使用されて、上述した設定値ＣＦ１、ＣＦ２を、電子リレー２に正しく送信する。
【０１１６】
本発明によれば、方法１００は、所定の動作条件が電子リレー２によって満たされるかどうかを、コンピュータ装置５０がチェックするステップを含む（図１１）。
【０１１７】
このステップは、電子リレー２への設定パラメータＣＦ１、ＣＦ２のその後の正しい送信を保証し、従って、電子リレーが一旦正しく設定されたときに、電子リレーの迅速な操作性を保証するので、非常に有利である。
【０１１８】
好ましくは、前記チェックステップは、電子リレー２との通信と、コンピュータ装置５０による各電子リレー２への問い合わせとが確立されると、少なくとも部分的に、コンピュータ装置５０によって自動的に実行される。
【０１１９】
好ましくは、方法１００は、コンピュータ装置５０によって自動チェックが実行されると、前記電子リレー２によって満たされる動作条件に関する情報をユーザが取得することを支援するために、コンピュータ装置５０がグラフィックユーザインタフェース１９０上に第４のグラフィックリソース１４を提供するステップを含む。
【０１２０】
好ましくは、第４のグラフィックリソース１４は、グラフィックユーザインターフェース１９０の専用設定ページ上で、選択された設定グラフィックテンプレート１０に動作可能に関連付けられる。
【０１２１】
好ましくは、第４のグラフィックリソース１４は、電子リレー２に関する情報を表示するための１つまたは複数の第４のグラフィックオブジェクト１４Ａを含む。
【０１２２】
図１１に示す例によれば、前記第４のグラフィックオブジェクトは、それぞれが電子リレー２の動作状態に関する情報を報告するグラフィックラベル１４Ｂのリストを含む１つまたは複数のグラフィックウィンドウ１４Ａを含んでもよい。
【０１２３】
電子リレー２の動作状態のチェックを完了するために、しかしながら、ユーザによって提供されたチェック情報が必要とされるかもしれない。
【０１２４】
好ましくは、方法１００は、電子リレー２の動作状態に関するチェック情報を提供する際にユーザを支援するために、コンピュータ装置５０がグラフィックユーザインタフェース１９０上に第５のグラフィックリソース１５を提供するステップを含む。
【０１２５】
好ましくは、第５のグラフィックリソース１５は、選択された設定グラフィックテンプレート１０に動作可能に関連付けられている。
【０１２６】
好ましくは、第５のグラフィックリソース１５および選択された設定グラフィックテンプレート１０は、それらが動作可能に関連付けられ、グラフィックユーザインターフェース１９０の専用設定ページ上で、利用可能にされる。
【０１２７】
好ましくは、第５のグラフィックリソース１５は、ユーザが前記チェック情報を提供するのを支援するために、１つまたは複数の第５のグラフィックオブジェクト１５Ａ、１５Ｂを含む。
【０１２８】
図１１に示す例によれば、前記第５のグラフィックオブジェクトは、それぞれが電子リレー２上の所定のチェック情報を報告するグラフィックラベル１５Ｂの対応するリストを含む１つまたは複数のグラフィックウィンドウ１５Ａを備えてもよい。
【０１２９】
各チェック情報は、電子リレー２によって満たされなければならない動作状態を、都合よく記述している。
【０１３０】
グラフィックラベル１５Ｂを選択的に作動させることによって、ユーザは、コンピュータ装置５０にコマンドを送ることができ、対応するチェック情報が正しいこと、従って対応する要求された動作条件が電子リレー２によって満たされることを確認する。
【０１３１】
チェック情報の入力が完了すると、ユーザは、適切な補助グラフィックリソース１７（保存ボタン）を起動することにより、対応する設定ページと関連する設定情報を、記憶メモリ５３に保存することができる。
【０１３２】
この時点で、設定値ＣＦ１、ＣＦ２を、電子リレー２に送信することができる。
【０１３３】
したがって、方法１００は、コンピュータ装置５０が設定値ＣＦ１、ＣＦ２を含む設定情報を、電子リレー２に送信するステップを含む。
【０１３４】
設定値ＣＦ１、ＣＦ２を受信すると、電子リレー２は、それらの動作パラメータを適切に設定することができ、動作を開始することができる。
【０１３５】
好ましくは、前記設定情報は、インターネットまたはＬＡＮまたはＷＡＮを介して、コンピュータ装置５０によって電子リレー２に送信される。
【０１３６】
好ましくは、電子リレー２への前記設定情報の送信は、認証手順の実行時に行われる。
【０１３７】
好ましくは、そのような認証手順は、コンピュータ装置５０が符号化された情報を受信して、電子リレー２への設定値の送信を可能にするステップを含む。
【０１３８】
そのような符号化情報は、コンピュータ装置５０の入力ポート（図示せず）に動作可能に接続されたメモリサポート（例えば、ＵＳＢ記憶装置）から受信することができる。
【０１３９】
代替として、そのような符号化情報は、インターネットまたはＬＡＮまたはＷＡＮを介して、コンピュータ装置５０と通信しているリモートコンピュータソースから受信されてもよい。
【０１４０】
しかしながら、必要に応じて、他の解決策も可能である。
【０１４１】
好ましくは、そのような認証手順は、コンピュータ装置５０が前記符号化情報をチェックして、前記符号化情報が正しいかどうかを制御するステップを含む。
【０１４２】
好ましくは、そのような認証手順は、前記符号化情報が正しい場合に、コンピュータ装置５０が、前記設定情報を電子リレー２に送信するステップを含む。
【０１４３】
本発明による方法１００は、上述の目標（aim）および目的を、十分に満たすことを可能にする。
【０１４４】
この方法は、電力配電ネットワークをモデル化する経験の少ない職員によっても実行することができる簡単なステップを用いて、支援された方法で、ユーザが、電子リレーの設定プロセスを実行することを可能にする。
【０１４５】
したがって、予め定義され検証された制御ロジックモデルを基準として採用することによって、リレーの設定が実行されるので、電子リレーは、限られたエラー確率で、迅速かつ効率的な方法で設定することができる。
【０１４６】
この方法は、インターネットまたはＬＡＮまたはＷＡＮを介して、電子リレー２と通信することができるコンピュータ装置による実装に、特に適している。
【０１４７】
これは、設定プロセス中に、電子リレーを配線する必要性を回避するかまたは低減することを可能にする。
【図１】
2020504857.tif 000003
【図２】
2020504857.tif 000004
【図３】
2020504857.tif 000005
【図４】
2020504857.tif 000006
【図５】
2020504857.tif 000007
【図６】
2020504857.tif 000008
【図７】
2020504857.tif 000009
【図８】
2020504857.tif 000010
【図９】
2020504857.tif 000011
【図１０】
2020504857.tif 000012
【図１１】
2020504857.tif 000013
【国際調査報告】
2020504857.tif 000014
2020504857.tif 000015